(57)【要約】      （修正有）【課題】使用者の手のひらにウイルスが付着することを回避しつつ、使用者の手の指にもウイルスが付着することを回避することができる把持サポート具を提供する。【解決手段】把持サポート具１０は、手の指及び手のひらの表面側を被覆し、手のひらの開閉に追随して変形する柔軟素材からなる把持用ベースプレート１１と、把持用ベースプレート１１に取り付けられ、把持用ベースプレート１１と同一素材からなる手への装着用ベルト１２とを備えている。【選択図】図１
0003229868.tif 000002
【実用新案登録請求の範囲】
【請求項１】
手の指及び手のひらの表面側を被覆し、手のひらの開閉に追随して変形する柔軟素材からなる把持用ベースプレートと、
前記把持用ベースプレートに取り付けられ、前記把持用ベースプレートと同一素材からなる手への装着用ベルトとを備えていることを特徴とする把持サポート具。
【請求項２】
前記把持用ベースプレートは、手のひらを閉じた際の親指を除いた手の指全体及び手のひら全体を被覆する大きさであると共に、前記装着用ベルトには、ボタンを押す際に使用できる突起部が固定されていることを特徴とする請求項１記載の把持サポート具。
【請求項３】
前記装着用ベルトは、幅方向に沿って装着時には手の指の甲側にかけ回されることを特徴とする請求項１記載の把持サポート具。
【請求項４】
前記把持用ベースプレートは、素材がゴムであることを特徴とする請求項１記載の把持サポート具。
【請求項５】
前記装着用ベルトの長さ方向の両端には係合部が設けられていると共に、前記把持用ベースプレートの長さ方向の中央部であって前記把持用ベースプレートの幅方向の両端には前記係合部が着脱可能に挿通して係合する係止孔部が設けられていることを特徴とする請求項１記載の把持サポート具。
【請求項６】
前記突起部は、前記装着用ベルトの長さ方向における中央部からずらした端部であって、装着時にひと指し指上に配置される位置に固定されていることを特徴とする請求項２記載の把持サポート具。
【考案の詳細な説明】
【技術分野】
【０００１】
本考案は、把持サポート具に係り、特に、使用者の手に装着可能な把持サポート具に関する。
【背景技術】
【０００２】
現在、新型コロナウイルス感染状況下において、外出時等に手で対象物を触る際にウイルスが手に付着する可能性がある。しかしながら、手袋を常時装着していた場合には、行動上、様々な不都合がある。
【０００３】
そこで、特許文献１は、弾性を有する素材からなり、大径部と小径部を交互に有する蛇腹形状であり且つ断面Ｃ字の筒状体からなる本体を有することを特徴とする吊革把持補助具を開示している。
しかしながら、このような吊革把持補助具では、使用者の手の指にウイルスが付着する可能性がある、という不具合がある。
【先行技術文献】
【特許文献】
【０００４】
【特許文献１】特開２０１８−１３１０３４号公報
【考案の概要】
【考案が解決しようとする課題】
【０００５】
そこで、本考案の課題は、使用者の手のひらにウイルスが付着することを回避しつつ、使用者の手の指にもウイルスが付着することを回避することができる把持サポート具を提供することにある。
【課題を解決するための手段】
【０００６】
上記課題達成のため、請求項１記載の考案にあっては、手の指及び手のひらの表面側を被覆し、手のひらの開閉に追随して変形する柔軟素材からなる把持用ベースプレートと、前記把持用ベースプレートに取り付けられ、前記把持用ベースプレートと同一素材からなる手への装着用ベルトとを備えていることを特徴とする。
従って、本考案に係る把持サポート具にあっては、手に装着でき、手の指及び手のひら表面側を被覆できることから、対象物を把持する際に手の指、手のひらが対象物に接触しないようにできる。
【０００７】
請求項２記載の考案にあっては、前記把持用ベースプレートは、手のひらを閉じた際の親指を除いた手の指全体及び手のひら全体を被覆する大きさであると共に、前記装着用ベルトには、ボタンを押す際に使用できる突起部が固定されていることを特徴とする。
従って、本考案に係る把持サポート具にあっては、手のひらを閉じた際には親指以外の手の指全体及び手のひら全体をウイルスから保護することができると共に、突起部でボタンを押下することができる。
【０００８】
請求項３記載の考案にあっては、前記装着用ベルトは、幅方向に沿って装着時には手の指の甲側にかけ回されることを特徴とする。
従って、本考案に係る把持サポート具にあっては、把持用ベースプレートの上半分を手の指側に配置させ、把持用ベースプレートの下半分を手のひら側に配置させることができる。
【０００９】
請求項４記載の考案にあっては、前記把持用ベースプレートは、素材がゴムであることを特徴とする。
従って、本考案に係る把持サポート具にあっては、液体をはじきやすい。
【００１０】
請求項５記載の考案にあっては、前記装着用ベルトの長さ方向の両端には係合部が設けられていると共に、前記把持用ベースプレートの長さ方向の中央部であって前記把持用ベースプレートの幅方向の両端には前記係合部が着脱可能に挿通して係合する係止孔部が設けられていることを特徴とする。
従って、本考案に係る把持サポート具にあっては、把持用ベースプレートの中央に装着用ベルトを配置することができる。
【００１１】
請求項６記載の考案にあっては、前記突起部は、前記装着用ベルトの長さ方向における中央部からずらした端部であって、装着時にひと指し指上に配置される位置に固定されていることを特徴とする。
従って、本考案に係る把持サポート具にあっては、突起部が使用者の人差し指に重なる位置に配置されやすくなる。
【考案の効果】
【００１２】
請求項１記載の考案にあっては、手の指及び手のひらの表面側を被覆し、手のひらの開閉に追随して変形する柔軟素材からなる把持用ベースプレートと、前記把持用ベースプレートに取り付けられ、前記把持用ベースプレートと同一素材からなる手への装着用ベルトとを備えていることから、手に装着でき、手の指及び手のひら表面側を被覆でき、何らかの物を把持する際に手の指、手のひらが対象物に接触しないようにできるため、手の指、手のひらにウイルス等を含む菌が付着することを回避することができる。
また、新型コロナウイルス感染状況下において、外出時等に手で物を触る際にコロナウイルスが手に付着する可能性があるが、本考案に係る把持サポート具を使用することにより、このような可能性を回避できるという効果がある。
【００１３】
請求項２記載の考案にあっては、前記把持用ベースプレートは、手のひらを閉じた際の親指を除いた手の指全体及び手のひら全体を被覆する大きさであると共に、前記装着用ベルトには、ボタンを押す際に使用できる突起部が固定されていることから、手のひらを閉じた際には親指以外の手の指全体及び手のひら全体をウイルスから保護することができると共に、突起部でボタンを押下することができるため、親指以外の手の指、手のひらにウイルスが付着することを回避することができる。
【００１４】
請求項３記載の考案にあっては、前記装着用ベルトは、幅方向に沿って装着時には手の指の甲側にかけ回されることから、把持用ベースプレートの上半分を手の指側に配置させ、把持用ベースプレートの下半分を手のひら側に配置させることができるため、把持用ベースプレートを折り曲げた際にも、手の内側にしっかりと把持用ベースプレートを密着させることができる。
【００１５】
請求項４記載の考案にあっては、前記把持用ベースプレートは、素材がゴムであることから、液体をはじきやすいため、使用後にアルコール消毒可能である。また、柔軟性に富むことから手のひらに装着した場合に、手の動きによく追随し、使用者が対象物を容易に握持することができる。
【００１６】
請求項５記載の考案にあっては、前記装着用ベルトの長さ方向の両端には係合部が設けられていると共に、前記把持用ベースプレートの長さ方向の中央部であって前記把持用ベースプレートの幅方向の両端には前記係合部が着脱可能に挿通して係合する係止孔部が設けられていることから、把持用ベースプレートの中央に装着用ベルトを配置することができるため、把持用ベースプレートを幅広く利用して、より一層、ウイルスの付着を回避することができる。
【００１７】
請求項６記載の考案にあっては、前記突起部は、前記装着用ベルトの長さ方向における中央部からずらした端部であって、装着時にひと指し指上に配置される位置に固定されていことから、突起部が使用者の人差し指に重なる位置に配置されやすくなるため、動かしやすい人差し指の延長として突起部を取り扱うことができ、利便性が向上する。
【図面の簡単な説明】
【００１８】
【図１】本考案に係る把持サポート具の一実施の形態における正面図である。
【図２】本考案に係る把持サポート具の一実施の形態における把持用ベースプレートを示す正面図である。
【図３】本考案に係る把持サポート具の一実施の形態における装着用ベルトを示す平面図である。
【図４】本考案に係る把持サポート具の一実施の形態における第一使用方法を示す図である。
【図５】本考案に係る把持サポート具の一実施の形態における第二使用方法を示す図である。
【図６】本考案に係る把持サポート具の一実施の形態における第三使用方法を示す図である。
【考案を実施するための形態】
【００１９】
以下、本考案に係る一実施の形態について、図面を参照しながら説明する。なお、各図面においては、理解を容易にするために部材の形状や寸法を誇張して図示している箇所もある。
図１に示すように、本実施の形態に係る把持サポート具１０は、手の指及び手のひらの表面側を被覆し、手のひらの開閉に追随して変形する柔軟素材からなる把持用ベースプレート１１と、把持用ベースプレート１１に取り付けられ、把持用ベースプレート１１と同一素材からなる手への装着用ベルト１２とを備えている。
従って、本実施の形態に係る把持サポート具１０にあっては、手に装着でき、手の指及び手のひら表面側を被覆できることから、何らかの物を把持する際に手の指、手のひらが対象物に接触しないようにできる。
【００２０】
把持用ベースプレート１１は、薄厚の全体平板状に形成され、手のひらを閉じた際の親指を除いた手の指全体及び手のひら全体を被覆する大きさであると共に、装着用ベルト１２には、ボタンを押す際に使用できる突起部１３が固定されている。本実施の形態にあっては、猫をモチーフにした平面形状に形成されている。
従って、本実施の形態に係る把持サポート具１０にあっては、手のひらを閉じた際には親指以外の手の指全体及び手のひら全体をウイルスから保護することができると共に、突起部１３でボタンを押下することができる。
【００２１】
把持用ベースプレート１１及び装着用ベルト１２は素材がゴムである。従って、本実施の形態に係る把持サポート具１０にあっては、液体をはじきやすい。一方、突起部１３は、素材が金属である。
突起部１３は、円柱形状の軸部材１４と、軸部材１４の両端に形成された２つの円盤部材１５とにより構成されている。円柱形状の軸部材１４は、装着用ベルト１２に形成された突起部用孔部１６に挿通されている。
【００２２】
突起部１３は、装着用ベルト１２の長さ方向（図中左右方向）における中央部からずらした端部に寄せた位置に固定されている。つまり、突起部用孔部１６は、装着用ベルト１２の長さ方向における中央部からずらした端部に寄せた位置に形成されている。
従って、本実施の形態に係る把持サポート具１０にあっては、突起部１３が使用者の人差し指に重なる位置に配置されやすくなる。
【００２３】
図２に示すように、把持用ベースプレート１１は、全体猫の顔を模し、耳を模った、上部に２つの突出部１７を有する円形状の第一円形部１８と、猫の胴部を模し、第一円形部１８の下方に配置され、第一円形部１８よりも大きさが小さい円形状の第二円形部１９とを備えている。第一円形部１８には、親指を除いた手の指が配置され、第二円形部１９には手のひらが配置される。
【００２４】
第一円形部１８を第二円形部１９よりも大きな形状としている理由は、手の指の広がりを考慮しているためである。また、２つの突出部１７と、大きさの異なる円形状の第一円形部１８及び第二円形部１９とにより、猫等、各種動物のシルエットを再現することができ、機能性に加えて装用する楽しさも付加することができる。
【００２５】
また、第一円形部１８に２つの突出部１７を形成し、第二円形部１９に突出部を形成しないことにより、使用者に対して、正しい使用方向を容易に伝達することができる。
なお、第一円形部１８の上端部及び第二円形部１９の下端部には、円形の孔部２０が形成されている。孔部２０は、把持用ベースプレート１１の保管時や商品陳列時等に使用することができる。
【００２６】
把持用ベースプレート１１の長さ方向（図中上下方向）の寸法Ｌ１は、１４０ｍｍである。第一円形部１８の長さ方向の寸法Ｌ２は、７５ｍｍである。第二円形部１９の長さ方向の寸法Ｌ３は、６５ｍｍである。第一円形部１８の幅方向の寸法Ｗ１は、１００ｍｍである。第二円形部１９の幅方向の寸法Ｗ２は、８５ｍｍである。厚さ寸法は約1ｍｍである。
【００２７】
図３に示すように、装着用ベルト１２は、全体略細長長方形状の薄厚のバンド状の部材である。
装着用ベルト１２の長さ方向の寸法Ｌ４は、１７５ｍｍである。装着用ベルト１２の左端部から突起部用孔部１６までの寸法Ｌ５は、５５ｍｍである。装着用ベルト１２の幅方向の寸法Ｗ３は、１５ｍｍである。突起部用孔部１６に対して軸部材１４（図１参照）をしっかりと固定するために、突起部用孔部１６の直径は、軸部材１４の直径よりも数ミリ程度小さいことが好ましい。
【００２８】
図３に示すように、装着用ベルト１２の長さ方向（図３中左右方向）の両端には、ベルト部本体２１の幅方向（図３中上下方向）の両端部に形成された凸部２２による係合部２３により、係止孔部２４、２４に係合する２か所の係止部２３ａ、２３ｂが形成されていると共に、図２に示すように、把持用ベースプレート１１の長さ方向（図２中上下方向）の中央部であって把持用ベースプレート１１の幅方向（図２中左右方向）の両端には係合部２３が着脱可能に挿通して係合する一対の係止孔部２４、２４が設けられている。
従って、本実施の形態に係る把持サポート具１０にあっては、把持用ベースプレート１１の中央に装着用ベルト１２を配置することができる。
連続して形成された係止部２３ａ、２３ｂにより、装着用ベルト１２の長さを調整することができる。係止孔部２４は、長さ寸法が１０ｍｍであり、幅寸法が３ｍｍの縦長の孔である。
【００２９】
次に、本実施の形態に係る把持サポート具１０の使用方法について説明する。
まず、図２に示す把持用ベースプレート１１の係止孔部２４に、図３に示す装着用ベルト１２の係合部２３を挿通させる。これにより、図１に示す状態の把持サポート具１０となる。
【００３０】
そして、本実施の形態に係る把持サポート具１０を使用する場合、図１に示す状態の把持サポート具１０の下方から手のひらを下に向けて右手の親指以外の４本の指を装着用ベルト１２の内部に通す。
【００３１】
その結果、装着用ベルト１２は、把持サポート具１０の幅方向に沿って装着時には右手の親指以外の４本の指の甲側にかけ回される。
従って、本実施の形態に係る把持サポート具１０にあっては、把持用ベースプレート１１の第一円形部１８（上半分）を右手の親指以外の４本の指側に配置させ、把持用ベースプレート１１の第二円形部１９（下半分）を手のひら側に配置させることができる。
以下、具体的な使用場面について説明する。
【００３２】
図４に示すように、ドアのレバーハンドルＬＨを掴む場合、把持サポート具１０を装着した状態で手のひらを閉じると、把持用ベースプレート１１が手のひらの変形に追随して変形して、長さ方向略半分の位置で湾曲する。そして、使用者がドアのレバーハンドルを把持する際には、湾曲した把持用ベースプレート１１によりドアのレバーハンドルＬＨを包み込み、手のひらに直接にレバーハンドルＬＨが接触することなく、ドアのレバーハンドルＬＨを手で掴むことができる。
【００３３】
また、図５に示すように、電車やバスの吊革Ｔを掴む場合、把持サポート具１０を装着した状態で手のひらを閉じると、上記同様に把持用ベースプレート１１が変形して湾曲し、湾曲した把持用ベースプレート１１で吊革Ｔを包み込み、使用者は吊革Ｔに直接に触れることなく手で吊革Ｔを掴むことができる。
【００３４】
さらに、図６に示すように、使用者が計算機３０を使用する場合には、計算機３０のボタンＢを押下する場合、手に装着した把持サポート具１０の突起部１３を利用してボタンＢを押下することができる。この場合、突起部１３は人差し指の位置に配置されていることから、指の中で使用者の手の動き意思を反映しやすい人差し指の動きにより突起部１３を操作することが可能となる。なお、エレベータのボタンや、信号機に設置された歩行者用のボタンに対しても同様に対応することが可能である。
なお、本実施の形態に係る把持サポート具１０にあっては、把持用ベースプレート１１が親指を除く４本の指を被覆するように構成されているが、対象物を把持する際には、図６に示すように、親指は握った際には、人差し指に重ねられるように配置されることから、親指も対象物に触れることはなく、親指にウイルス等が付着するおそれはない。
【００３５】
以上説明したように、本実施の形態に係る把持サポート具１０にあっては、手に装着でき、手の指及び手のひら表面側を被覆できることから、何らかの物を把持する際に手の指、手のひらが対象物に接触しないようにできるため、手の指、手のひらにウイルスが付着することを回避することができる。
【００３６】
また、本実施の形態に係る把持サポート具１０にあっては、手のひらを閉じた際には親指以外の手の指全体及び手のひら全体をウイルスから保護することができると共に、突起部でボタンを押下することができるため、親指以外の手の指、手のひらにウイルスが付着することを回避することができる。
【００３７】
さらに、本実施の形態に係る把持サポート具１０にあっては、把持用ベースプレート１１の第一円形部１８を手の指側に配置させ、把持用ベースプレート１１の第二円形部１９を手のひら側に配置させることができるため、把持用ベースプレート１１を折り曲げた際にも、手の内側にしっかりと把持用ベースプレート１１を密着させることができる。
【００３８】
さらにまた、本実施の形態に係る把持サポート具１０にあっては、液体をはじきやすいため、使用後にアルコール消毒可能である。
【００３９】
その上、本実施の形態に係る把持サポート具１０にあっては、把持用ベースプレート１１の中央に装着用ベルト１２を配置することができるため、把持用ベースプレート１１を幅広く利用して、より一層、ウイルスの付着を回避することができる。
【００４０】
また、本実施の形態に係る把持サポート具１０にあっては、突起部１３が使用者の人差し指に重なる位置に配置されやすくなるため、動かしやすい人差し指の延長として突起部１３を取り扱うことができ、利便性が向上する。
【００４１】
上述した実施の形態にあっては、以下の変形が可能である。
（１）把持用ベースプレート１１及び装着用ベルト１２は、合成樹脂や皮、布等により構成されていてもよい。
（２）突起部１３は、ゴムや合成樹脂、皮、布等により構成されていてもよい。
（３）把持用ベースプレート１１の平面形状は、上記実施の形態には限定されず、単なる長方形状であっても単なる円形状であってもよい。また、他の動物を模した平面形状であってもよい。
（４）把持用ベースプレート１１は、手のひらを閉じた際又は手のひらを開いた際に、手の指全体及び手のひら全体を被覆する大きさであってもよい。
【００４２】
（５）装着用ベルト１２は、装着時には手の甲にかけ回されるものであってもよい。
（６）装着用ベルト１２は、把持用ベースプレート１１の長さ方向の中央部から上側又は下側にずらした位置に配置してもよい。
（７）突起部１３は、装着用ベルト１２の長さ方向における中央部に配置してもよい。
【産業上の利用可能性】
【００４３】
本考案は把持サポート具に係ることから、広く産業上の利用可能性を有している。
【符号の説明】
【００４４】
１０  把持サポート具
１１  把持用ベースプレート
１２  装着用ベルト
１３  突起部
１４  軸部材
１５  円盤部材
１６  突起部用孔部
１７  突出部
１８  第一円形部
１９  第二円形部
２０  孔部
２１  ベルト部本体
２２  凸部
２３  係合部
２４  係止孔部
３０  計算機
Ｂ  ボタン
ＬＨ  レバーハンドル
Ｔ  吊革
【図１】
0003229868.tif 000003
【図２】
0003229868.tif 000004
【図３】
0003229868.tif 000005
【図４】
0003229868.tif 000006
【図５】
0003229868.tif 000007
【図６】
0003229868.tif 000008